(57)【要約】【課題】廃棄物処理場で排出される廃棄物の重量をトラックスケールによる計量作業を行うことなく管理することができ、これによってトラックスケールの設置コストの削減や、トラックスケールでの計量待ちに起因する車両渋滞の解消を図ることのできる廃棄物重量管理システムを提供する。【解決手段】廃棄物収集車両３に、計量手段（２６，２７）による計量によって得られる収集廃棄物の重量データを記憶するメモリ２１と、このメモリ２１に記憶されている重量データを無線送信する無線送信機２３およびアンテナ２５とを設け、廃棄物処理場８に、廃棄物収集車両３から無線送信される重量データを受信するアンテナ４５および無線受信機４４と、受信した重量データを管理する管理用パソコン４２とを設ける構成とする。【選択図】図４
2009211346.tif 000002
【特許請求の範囲】
【請求項１】
廃棄物収集事業所を出発した廃棄物収集車両が所定の廃棄物収集場所を経由して廃棄物処理場に到着するまでの間に収集する廃棄物の重量を管理する廃棄物重量管理システムであって、
前記廃棄物収集車両に、前記廃棄物の重量を計量する計量手段と、この計量手段による計量によって得られる廃棄物の重量データを記憶する重量データ記憶手段と、この重量データ記憶手段に記憶されている重量データを無線送信する重量データ送信手段とを設け、
前記廃棄物処理場に、前記重量データ送信手段からの重量データを受信する重量データ受信手段と、この重量データ受信手段で受信した重量データを管理する重量データ管理手段とを設けることを特徴とする廃棄物重量管理システム。
【請求項２】
前記廃棄物収集事業所に、前記重量データ送信手段からの重量データを受信する重量データ受信手段と、この重量データ受信手段で受信した重量データを管理する重量データ管理手段とが設けられる請求項１に記載の廃棄物重量管理システム。
【請求項３】
送信の許可を示す送信許可メッセージを無線送信するための送信許可メッセージ送信手段が前記廃棄物処理場に設けられるとともに、この送信許可メッセージ送信手段からの送信許可メッセージを受信するための送信許可メッセージ受信手段が前記廃棄物収集車両に設けられ、この送信許可メッセージ受信手段が、前記廃棄物処理場に設けられる送信許可メッセージ送信手段からの送信許可メッセージを受信したとき、前記廃棄物処理場に設けられる重量データ受信手段に向けて前記重量データ送信手段から前記重量データが無線送信される請求項１または２に記載の廃棄物重量管理システム。
【請求項４】
送信の許可を示す送信許可メッセージを無線送信するための送信許可メッセージ送信手段が前記廃棄物収集事業所に設けられるとともに、この送信許可メッセージ送信手段からの送信許可メッセージを受信するための送信許可メッセージ受信手段が前記廃棄物収集車両に設けられ、この送信許可メッセージ受信手段が、前記廃棄物収集事業所に設けられる送信許可メッセージ送信手段からの送信許可メッセージを受信したとき、前記廃棄物収集事業所に設けられる重量データ受信手段に向けて前記重量データ送信手段から前記重量データが無線送信される請求項２に記載の廃棄物重量管理システム。
【発明の詳細な説明】
【技術分野】
【０００１】
本発明は、廃棄物収集車両によって収集される廃棄物の重量を管理する廃棄物重量管理システムに関するものである。
【背景技術】
【０００２】
この種の従来の廃棄物重量管理システムとして、例えば図９に示されるようなものがある。図９に示される廃棄物重量管理システム１０１においては、廃棄物収集事業所１０２を出発した廃棄物収集車両１０３が所定の廃棄物収集場所１０４，１０５，１０６，１０７を経由して廃棄物処理場１０８に到着するまでの間に収集する廃棄物の重量をその廃棄物収集車両１０３に搭載の自重計や台秤等の計量手段１０９にて計量するようにされている。
【０００３】
ここで、廃棄物収集事業所１０２には、廃棄物の重量データ等を管理するための管理用パーソナルコンピュータ（以下、「管理用パソコン」という。）１１０が設置されており、計量手段１０９によって計量される廃棄物収集場所１０４〜１０７毎の廃棄物の重量データは管理用パソコン１１０に入力され、収集量に応じた収集手数料の請求等を行うために、入力された重量データは収集先（排出事業者）毎に管理される。
【０００４】
廃棄物収集場所１０４〜１０７毎の廃棄物の重量データを管理用パソコン１１０に入力する方法としては、以下の第１の方法あるいは第２の方法が挙げられる。第１の方法は、各廃棄物収集場所１０４〜１０７での計量手段１０９による計量作業を行う毎に専用プリンタを用いて重量データをプリントアウトしておき、廃棄物収集事業所１０２に帰着したらそれらプリントアウトされた重量データを手作業で管理用パソコン１１０に入力するという方法である。第２の方法は、各廃棄物収集場所１０４〜１０７での計量作業によって得られる廃棄物の重量データを一旦ＣＦ（ＣｏｍｐａｃｔＦｌａｓｈ）カード等の電子媒体に記録しておき、廃棄物収集事業所１０２に帰着したらそのＣＦカードに記録されている重量データを管理用パソコン１１０に読み込ませるという方法である。
【０００５】
しかしながら、前記第１の方法では、プリントアウトされた重量データを手作業で管理用パソコン１１０に入力する作業に手間がかかる上に入力ミスが起きる恐れがあるという問題点がある。
一方、前記第２の方法では、計量手段１０９や管理用パソコン１１０に対するＣＦカードの抜き差しが必要で、やはり手間がかかるという問題点がある。
【０００６】
そこで、各廃棄物収集場所１０４〜１０７での計量作業によって得られる廃棄物の重量データを各廃棄物収集場所１０４〜１０７での計量作業終了毎に無線送信する重量データ送信手段を廃棄物収集車両１０３に搭載し、この重量データ送信手段からの重量データを受信する重量データ受信手段を廃棄物収集事業所１０２に設置し、この重量データ受信手段で受信した重量データを管理用パソコン１１０で管理するようにした技術（例えば、特許文献１参照）を採用することにより、上記の問題点を解消することができる。
【０００７】
【特許文献１】特開２００６−１２７０３７号公報
【０００８】
ところで、廃棄物収集車両１０３が収集した廃棄物は廃棄物処理場１０８で排出されるが、図９に示される廃棄物重量管理システム１０１においては、廃棄物の排出量（廃棄物収集車両１０３の廃棄物積載重量（＝Ｗａ＋Ｗｂ＋Ｗｃ＋Ｗｄ））を把握するためにトラックスケール１１１が廃棄物処理場１０８に設置され、このトラックスケール１１１による計量の結果得られた廃棄物の重量データが廃棄物処理場１０８に設置の管理用パソコン１１２で管理されるようになっている。
【０００９】
このため、この廃棄物重量管理システム１０１では、トラックスケール１１１の設置コストが必要であるという問題点がある。また、廃棄物収集車両１０３が廃棄物処理場１０８に集中する時間帯には、トラックスケール１１１での計量待ちのために車両渋滞が発生し、排ガス、騒音等による環境悪化を招くという問題点がある。
なお、この廃棄物重量管理システム１０１に前記特許文献１に係る技術を適用したとしても、廃棄物処理場１０８でのトラックスケール１１１による計量作業を省くことができず、それら問題点を解決するには至らない。
【発明の開示】
【発明が解決しようとする課題】
【００１０】
本発明は、このような問題点に鑑みてなされたもので、廃棄物処理場で排出される廃棄物の重量をトラックスケールによる計量作業を行うことなく管理することができ、これによってトラックスケールの設置コストの削減や、トラックスケールでの計量待ちに起因する車両渋滞の解消を図ることのできる廃棄物重量管理システムを提供することを目的とするものである。
【課題を解決するための手段】
【００１１】
前記目的を達成するために、本発明による廃棄物重量管理システムは、
廃棄物収集事業所を出発した廃棄物収集車両が所定の廃棄物収集場所を経由して廃棄物処理場に到着するまでの間に収集する廃棄物の重量を管理する廃棄物重量管理システムであって、
前記廃棄物収集車両に、前記廃棄物の重量を計量する計量手段と、この計量手段による計量によって得られる廃棄物の重量データを記憶する重量データ記憶手段と、この重量データ記憶手段に記憶されている重量データを無線送信する重量データ送信手段とを設け、
前記廃棄物処理場に、前記重量データ送信手段からの重量データを受信する重量データ受信手段と、この重量データ受信手段で受信した重量データを管理する重量データ管理手段とを設けることを特徴とするものである（第１発明）。
【００１２】
第１発明において、前記廃棄物収集事業所に、前記重量データ送信手段からの重量データを受信する重量データ受信手段と、この重量データ受信手段で受信した重量データを管理する重量データ管理手段とが設けられるのが好ましい（第２発明）。
【００１３】
第１発明または第２発明において、送信の許可を示す送信許可メッセージを無線送信するための送信許可メッセージ送信手段が前記廃棄物処理場に設けられるとともに、この送信許可メッセージ送信手段からの送信許可メッセージを受信するための送信許可メッセージ受信手段が前記廃棄物収集車両に設けられ、この送信許可メッセージ受信手段が、前記廃棄物処理場に設けられる送信許可メッセージ送信手段からの送信許可メッセージを受信したとき、前記廃棄物処理場に設けられる重量データ受信手段に向けて前記重量データ送信手段から前記重量データが無線送信されるのが好ましい（第３発明）。
【００１４】
第２発明において、送信の許可を示す送信許可メッセージを無線送信するための送信許可メッセージ送信手段が前記廃棄物収集事業所に設けられるとともに、この送信許可メッセージ送信手段からの送信許可メッセージを受信するための送信許可メッセージ受信手段が前記廃棄物収集車両に設けられ、この送信許可メッセージ受信手段が、前記廃棄物収集事業所に設けられる送信許可メッセージ送信手段からの送信許可メッセージを受信したとき、前記廃棄物収集事業所に設けられる重量データ受信手段に向けて前記重量データ送信手段から前記重量データが無線送信されるのが好ましい（第４発明）。
【発明の効果】
【００１５】
本発明によれば、廃棄物収集車両に搭載の重量データ記憶手段に記憶されている廃棄物の重量データが重量データ送信手段および重量データ受信手段を介して廃棄物処理場に設置の重量データ管理手段に伝送されるので、廃棄物処理場において排出される廃棄物収集車両からの廃棄物の重量を、従来行われているトラックスケールによる計量作業を行うことなく管理することができる。したがって、トラックスケールの設置コストの削減や、トラックスケールでの計量待ちに起因する車両渋滞の解消を図ることができる。
【００１６】
また、第２発明の構成を採用することにより、廃棄物収集事業所においても収集廃棄物の重量管理を容易に行うことができる。
【００１７】
また、第３発明および第４発明の構成を採用することにより、廃棄物収集車両と廃棄物処理場との間での重量データの送受信、並びに廃棄物収集車両と廃棄物収集事業所との間での重量データの送受信をそれぞれより確実に行うことができる。
【発明を実施するための最良の形態】
【００１８】
次に、本発明による廃棄物重量管理システムの具体的な実施の形態について、図面を参照しつつ説明する。
【００１９】
図１には、本発明の一実施形態に係る廃棄物重量管理システムの概略説明図が示されている。また、図２には、廃棄物収集車両の概略構成を模式的に表わした図が、図３には、廃棄物収集車両の車載装置の概略システム構成図が、それぞれ示されている。
【００２０】
図１に示される廃棄物重量管理システム１においては、廃棄物収集事業所２を出発した廃棄物収集車両３が所定の廃棄物収集場所４，５，６，７を経由して廃棄物処理場８に到着するまでの間に収集する廃棄物の重量を管理することができるように構成されている。
【００２１】
なお、ここで言う廃棄物は、例えば可燃物（紙ゴミ、生ゴミ等）や、不燃・燃焼不適物（金属、ガラス等）、資源ゴミ（空き缶、空きビン等）、粗大ゴミ（家具等）などを総称するものである。
また、廃棄物収集事業所２は、廃棄物の収集の依頼を受けた廃棄物収集事業者もしくは該廃棄物収集事業者と契約した収集請負業者が廃棄物収集車両３を用いて廃棄物の収集活動を行う上での拠点のことである。
また、廃棄物収集場所４〜７は、廃棄物収集の依頼者たる廃棄物排出事業者（以下、「収集先」という。）が排出する廃棄物を廃棄物収集車両３で収集してもらうために廃棄物を置いておく特定の場所のことである。
また、廃棄物処理場８は、廃棄物に対して、焼却処理や、埋め立て処理、再生処理などを施す施設を総称するものである。
【００２２】
図２に示されるように、廃棄物収集車両３は、車両本体１０と、廃棄物を積むための荷台１１と、車両本体１０に搭載される車載装置１２とより構成されている。
【００２３】
車載装置１２は、荷台１１を計量台としてその荷台１１に積み込まれる廃棄物の重量を計量する計量手段２０と、記憶手段としてのメモリ２１と、印刷手段としてのプリンタ２２と、データ信号を電波信号に変換する無線送信機２３と、電波信号をデータ信号に変換する無線受信機２４と、無線送信機２３および無線受信機２４にそれぞれ接続されて電波を出したり受けたりするアンテナ２５とを有している。
【００２４】
計量手段２０は、車両本体１０と荷台１１との間に設けられてアナログ荷重信号を出力する所要個数（本例では４個：図２には車両前進方向左側２個のみを表わす。）のロードセル２６と、車両本体１０内に設けられる指示計２７とより構成されている。
【００２５】
図３に示されるように、指示計２７は、各ロードセル２６からのアナログ荷重信号を増幅する増幅回路２８と、増幅回路２８で増幅されたアナログ荷重信号をデジタル荷重信号に変換するＡ／Ｄ変換器２９と、所定プログラムに従って演算処理等を実行する中央処理装置（ＣＰＵ）３０とを備えて構成されている。
【００２６】
ＣＰＵ３０とメモリ２１とは、図示されないバスを介して接続されている。メモリ２１には、ＣＰＵ３０が実行する所定プログラムや、廃棄物収集車両３の車両番号データ、廃棄物収集先の名称等の収集先データ、収集する廃棄物の種類等の収集廃棄物データなどが記憶されている。また、プリンタ２２、無線送信機２３および無線受信機２４のそれぞれはＣＰＵ３０と図示されない入出力ポートおよびバスを介して接続されており、ＣＰＵ３０からプリンタ２２に印刷指令信号と共に送られるデータ信号に基づいてプリンタ２２による印刷が実行され、ＣＰＵ３０から無線送信機２３に送信指令信号と共に送られるデータ信号に基づいて電波信号が無線送信機２３からアンテナ２５を介して無線送信され、アンテナ２５を介して無線受信機２４で受信された電波信号に基づいてデータ信号が無線受信機２４からＣＰＵ３０に送られるようになっている。
【００２７】
指示計２７には、廃棄物の収集先を選択するための収集先選択ボタン３１ａや、収集する廃棄物の種類を選択するための収集廃棄物選択ボタン３１ｂ、計量値を零にリセットするための零リセットボタン３１ｃ、計量完了を合図するための計量完了ボタン３１ｄ、データ送信を合図するためのデータ送信ボタン３１ｅなどの操作ボタン３１が付設されており、これら操作ボタン３１からの信号はＣＰＵ３０に送られるようになっている。また、指示計２７には、ＣＰＵ３０から送られるデータ信号に基づく表示内容を表示する表示器３２が付設されている。
【００２８】
図４に示されるように、廃棄物処理場８には、無線基地局４１が設置されている。この無線基地局４１は、各種データを管理するための管理用パーソナルコンピュータ（以下、「管理用パソコン」という。）４２と、この管理用パソコン４２に接続される無線送信機４３および無線受信機４４と、これら無線送信機４３および無線受信機４４に接続されるアンテナ４５とより構成されている。
また、廃棄物収集事業所２にも無線基地局５１が設置されている。この無線基地局５１は、廃棄物処理場８に設置の無線基地局４１と同様に、各種データを管理するための管理用パソコン５２と、この管理用パソコン５２に接続される無線送信機５３および無線受信機５４と、これら無線送信機５３および無線受信機５４に接続されるアンテナ５５とより構成されている。
【００２９】
ここで、廃棄物収集車両３に搭載の無線送信機２３、無線受信機２４およびアンテナ２５と、廃棄物処理場８（廃棄物収集事業所２）に設置の無線送信機４３（５３）、無線受信機４４（５４）およびアンテナ４５（５５）との組み合わせで構成される無線通信装置としては、例えば、ＩＥＥＥ８０２．１１諸規格に準拠した無線ＬＡＮ（Ｌｏｃａｌ  Ａｒｅａ  Ｎｅｔｗｏｒｋ）方式の通信装置や、ＳＳ（Ｓｐｒｅａｄ  Ｓｐｅｃｔｒｕｍ：スペクトラム拡散）無線方式の通信装置、ＤＳＲＣ（Ｄｅｄｉｃａｔｅｄ  Ｓｈｏｒｔ−Ｒａｎｇｅ  Ｃｏｍｍｕｎｉｃａｔｉｏｎ：狭域通信）無線方式の通信装置などを採用することができる。
【００３０】
次に、廃棄物収集車両３の廃棄物収集時における指示計２７の処理内容について、主に図３のブロック図と図５のフローチャートを用いて説明する。なお、図５中記号「Ｓ」はステップを表わす。
【００３１】
図５のフローチャートに示される処理内容は、各廃棄物収集場所４〜７で行われる廃棄物収集作業毎に実行される。
【００３２】
（ステップＳ１）
ステップＳ１において、ＣＰＵ３０は、収集先選択ボタン３１ａや収集廃棄物選択ボタン３１ｂからの信号を取り込むとともに、廃棄物収集先の名称等の収集先データや収集する廃棄物の種類等の収集廃棄物データをメモリ２１から読み出し、収集先選択ボタン３１ａの操作によって選択された収集先の名称や、収集廃棄物選択ボタン３１ｂの操作によって選択された収集廃棄物の種類を表示器３２に表示させる表示信号を表示器３２に送る。
これにより、表示器３２には、収集先選択ボタン３１ａの操作によって選択された収集先の名称や、収集廃棄物選択ボタン３１ｂの操作によって選択された収集廃棄物の種類が表示される。
【００３３】
（ステップＳ２〜ステップＳ３）
ステップＳ２において、ＣＰＵ３０は、零リセットボタン３１ｃがＯＮされたか否かを判断する。零リセットボタン３１ｃがＯＮされたとき、ＣＰＵ３０はステップＳ３の処理を実行する。
ステップＳ３において、ＣＰＵ３０は、Ａ／Ｄ変換器２９からのデジタル荷重信号に基づく現在の演算結果を零にするとともに、計量値「０ｋｇ」を表示器３２に表示させる表示データ信号を表示器３２に送る。
これにより、計量値が零にリセットされるとともに、表示器３２には計量値「０ｋｇ」が表示される。
【００３４】
（ステップＳ４）
ステップＳ４において、ＣＰＵ３０は、Ａ／Ｄ変換器２９からのデジタル荷重信号に基づいて荷台１１に積み込まれる廃棄物の重量の演算を行うとともに、この演算の結果得られる計量値（重量データ）を表示器３２に表示させる表示データ信号を表示器３２に送る。
これにより、荷台１１に積み込まれる廃棄物の重量が計量されるとともに、その計量値が表示器３２に表示される。
【００３５】
（ステップＳ５〜ステップＳ７）
ステップＳ５において、ＣＰＵ３０は、計量完了ボタン３１ｄがＯＮされたか否かを判断する。計量完了ボタン３１ｄがＯＮされたとき、ＣＰＵ３０はステップＳ６の処理を実行し、計量完了ボタン３１ｄがＯＮされていないとき、ＣＰＵ３０はステップＳ４の処理を繰り返し実行する。
ステップＳ６において、ＣＰＵ３０は、収集日時や、収集先選択ボタン３１ａの操作によって選択された収集先の名称、収集廃棄物選択ボタン３１ｂの操作によって選択された収集廃棄物の種類、ステップＳ４の演算の結果得られた収集廃棄物の重量データなどの廃棄物収集データをメモリ２１に記憶させる。
ステップＳ７において、ＣＰＵ３０は、ステップＳ６でメモリ２１に記憶させた廃棄物収集データを読み出し、読み出した廃棄物収集データを印刷指令信号と共にプリンタ２２に送る。
これにより、いつ、どこの収集先で、どのような種類の廃棄物を、いくら計量したかが分かる廃棄物収集データがメモリ２１に保存されるとともに、かかる廃棄物収集データがプリンタ２２によってプリントアウトされる。
【００３６】
次に、全ての廃棄物収集場所４〜７での廃棄物収集作業を終えた廃棄物収集車両３が廃棄物処理場８に到着の際における指示計２７の処理内容、および廃棄物処理場８において廃棄物の排出作業を終えた廃棄物収集車両３が廃棄物収集事業所２に帰着の際における指示計２７の処理内容について説明するが、前者の処理内容と後者の処理内容とは基本的に同じであるので、代表として前者の処理内容を主に図３のブロック図と図６のフローチャートを用いて以下に説明することとする。なお、図６中記号「Ｑ」はステップを表わす。
【００３７】
（ステップＱ１〜ステップＱ２）
ステップＱ１において、ＣＰＵ３０は、データ送信ボタン３１ｅがＯＮされたか否かを判断する。データ送信ボタン３１ｅがＯＮされたとき、ＣＰＵ３０はステップＱ２の処理を実行する。
ステップＱ２において、ＣＰＵ３０は、送信指令信号と共に送信の許可の要求を示す送信許可要求メッセージ信号を無線送信機２３に送る。
これにより、送信許可要求メッセージが無線送信機２３からアンテナ２５を介して無線送信される。
【００３８】
（ステップＱ３〜ステップＱ４）
ステップＱ３において、ＣＰＵ３０は、廃棄物処理場８に設置の無線基地局４１から無線送信される送信の許可を示す送信許可メッセージをアンテナ２５および無線受信機２４を介して受信したか否かを判断する。廃棄物処理場８に設置の無線基地局４１からの送信許可メッセージを受信したとき、ＣＰＵ３０はステップＱ４の処理を実行する。
ステップＱ４において、ＣＰＵ３０は、以下の（ａ）〜（ｃ）のデータをメモリ２１から読み出し、読み出したそれらデータに関するデータ信号を送信指令信号と共に無線送信機２３に送る。
（ａ）廃棄物収集車両３の車両番号データ
（ｂ）各収集先の廃棄物収集データ（収集日時、収集廃棄物の種類、収集廃棄物の重量データ）
（ｃ）各収集先で収集した廃棄物の重量データを合計して求められる廃棄物積載重量データ
これにより、これら（ａ）〜（ｃ）のデータが無線送信機２３およびアンテナ２５を介して無線送信される。
【００３９】
次に、廃棄物処理場８および廃棄物収集事業所２のそれぞれに設置されている無線基地局４１，５１での処理内容を説明するが、各無線基地局４１，５１での処理内容は基本的に同じであるので、代表として廃棄物処理場８に設置の無線基地局４１での処理内容を主に図４のブロック図と図７のフローチャートを用いて以下に説明することとする。なお、図７中記号「Ｒ」はステップを表わす。
【００４０】
（ステップＲ１〜ステップＲ２）
ステップＲ１において、管理用パソコン４２は、廃棄物収集車両３に搭載の無線送信機２３からアンテナ２５を介して無線送信される送信許可要求メッセージをアンテナ４５および無線受信機４４を介して受信したか否かを判断する。廃棄物収集車両３からの送信許可要求メッセージを受信したとき、管理用パソコン４２はステップＲ２の処理を実行する。
ステップＲ２において、管理用パソコン４２は、送信指令信号と共に送信の許可を示す送信許可メッセージ信号を無線送信機４３に送る。
これにより、送信許可メッセージが無線送信機４３からアンテナ４５を介して無線送信される。
【００４１】
（ステップＲ３〜ステップＲ４）
ステップＲ３において、管理用パソコン４２は、廃棄物収集車両３に搭載の無線送信機２３からアンテナ２５を介して無線送信される以下の（ａ）〜（ｃ）のデータをアンテナ４５および無線受信機４４を介して受信したか否かを判断する。
（ａ）廃棄物収集車両３の車両番号データ
（ｂ）各収集先の廃棄物収集データ（収集日時、収集廃棄物の種類、収集廃棄物の重量データ）
（ｃ）各収集先で収集した廃棄物の重量データを合計して求められる積載重量データ
廃棄物収集車両３からの上記（ａ）〜（ｃ）のデータを受信したとき、ステップＲ４の処理を実行する。
ステップＲ４において、管理用パソコン４２は、受信した上記（ａ）〜（ｃ）のデータを表計算ソフトウエアにて読み込める形式で保存・管理する。
【００４２】
本実施形態の廃棄物重量管理システム１によれば、廃棄物収集車両３の車両番号データと共にメモリ２１に記憶されている廃棄物積載重量データが無線送信機２３、アンテナ２５，４５および無線受信機４４を介して廃棄物処理場８に設置の管理用パソコン４２に伝送されるので、廃棄物処理場８において排出される廃棄物収集車両３からの廃棄物の重量を、従来行われているトラックスケールによる計量作業を行うことなく管理することができる。したがって、トラックスケールの設置コストの削減や、トラックスケールでの計量待ちに起因する車両渋滞の解消を図ることができる。
さらに、従来のトラックスケールによる計量では廃棄物収集車両３の廃棄物積載重量しか管理することができなかったが、本実施形態の廃棄物重量管理システム１によれば、メモリ２１に記憶されている各収集先の廃棄物収集データ（収集廃棄物の種類、重量データ等）が無線送信機２３、アンテナ２５，４５および無線受信機４４を介して廃棄物処理場８に設置の管理用パソコン４２に伝送されるので、収集先（排出事業者）毎に排出される廃棄物の種類と重量を廃棄物処理場８にて細かく管理することができる。
【００４３】
また、本実施形態の廃棄物重量管理システム１によれば、ステップＱ４におけるデータ伝送と同様のデータ伝送を廃棄物収集事業所２に設置の管理用パソコン５２に対しても行うことができるので、廃棄物収集事業所２においても収集廃棄物の重量管理を容易に行うことができる。
【００４４】
また、本実施形態の廃棄物重量管理システム１によれば、廃棄物収集車両３に搭載の無線受信機２４が、廃棄物処理場８（廃棄物収集事業所２）に設置の無線送信機４３（５３）からの送信許可メッセージを受信したとき、廃棄物収集車両３に搭載の無線送信機２３から廃棄物処理場８（廃棄物収集事業所２）に設置の無線受信機４４（５４）に向けて、ステップＱ４のデータ無線送信を実行するようにされているので、廃棄物収集車両３と廃棄物処理場８（廃棄物収集事業所２）との間での重量データ等の送受信をより確実に行うことができる。
【００４５】
なお、本実施形態において、メモリ２１が本発明の「重量データ記憶手段」に対応する。
廃棄物収集車両３に搭載の無線送信機２３およびアンテナ２５を含む構成が本発明の「重量データ送信手段」に対応する。
廃棄物収集車両３に搭載の無線受信機２４およびアンテナ２５を含む構成が本発明の「送信許可メッセージ受信手段」に対応する。
【００４６】
また、廃棄物処理場８に設けられる無線送信機４３およびアンテナ４５を含む構成が本発明の「廃棄物処理場に設けられる送信許可メッセージ送信手段」に対応する。
廃棄物処理場８に設けられる無線受信機４４およびアンテナ４５を含む構成が本発明の「廃棄物処理場に設けられる重量データ受信手段」に対応する。
廃棄物処理場８に設けられる管理用パソコン４２が本発明の「廃棄物処理場に設けられる重量データ管理手段」に対応する。
【００４７】
また、廃棄物収集事業所２に設けられる無線送信機５３およびアンテナ５５を含む構成が本発明の「廃棄物収集事業所に設けられる送信許可メッセージ送信手段」に対応する。
廃棄物収集事業所２に設けられる無線受信機５４およびアンテナ５５を含む構成が本発明の「廃棄物収集事業所に設けられる重量データ受信手段」に対応する。
廃棄物収集事業所２に設けられる管理用パソコン５２が本発明の「廃棄物収集事業所に設けられる重量データ管理手段」に対応する。
【００４８】
以上、本発明の廃棄物重量管理システム１について、一実施形態に基づいて説明したが、本発明は上記実施形態に記載した構成に限定されるものではなく、その趣旨を逸脱しない範囲において適宜その構成を変更することができるものである。
【００４９】
例えば、上記実施形態の廃棄物重量管理システム１における、表示器３２、操作ボタン３１、メモリ２１、無線送信機２３、無線受信機２４およびアンテナ２５の機能を集約した装置として、図８に示されるように、無線ＬＡＮモジュール等の無線端末を搭載したモバイル型パーソナルコンピュータ６０（またはＰＤＡ（Ｐｅｒｓｏｎａｌ  Ｄｉｇｉｔａｌ  Ａｓｓｉｓｔａｎｔ）等の携帯情報端末）を用い、このモバイル型パーソナルコンピュータ６０を指示計２７に接続する構成を採用した廃棄物重量管理システム１′によっても、上記実施形態の廃棄物重量管理システム１と同様の作用効果を得ることができる。
【００５０】
また、例えば、廃棄物収集事業所２における無線基地局５１の管理用パソコン５２から指示計２７に対して追加・変更に係るデータ等を無線送信機５３、アンテナ５５，２５および無線受信機２４を介して無線送信してメモリ２１に記憶させるようにしてもよい。
【００５１】
また、例えば、廃棄物処理場８（廃棄物収集事業所２）にアンテナ４５（５５）を複数設置して電波が届く範囲を広げることにより、廃棄物収集車両３が走行しながらでもステップＱ４のデータ無線送信を行うことができる。
【図面の簡単な説明】
【００５２】
【図１】本発明の一実施形態に係る廃棄物重量管理システムの概略説明図
【図２】廃棄物収集車両の概略構成を模式的に表わした図
【図３】廃棄物収集車両の車載装置の概略システム構成図
【図４】無線伝送システムの概略構成図
【図５】廃棄物収集車両の廃棄物収集時における指示計の処理内容を説明するフローチャート
【図６】廃棄物収集車両が廃棄物処理場に到着の際における指示計の処理内容を説明するフローチャート
【図７】廃棄物処理場に設置の無線基地局での処理内容を説明するフローチャート
【図８】他の態様例の無線伝送システムの概略構成図
【図９】従来の廃棄物重量管理システムの概略説明図
【符号の説明】
【００５３】
１，１′  廃棄物重量管理システム
２        廃棄物収集事業所
３        廃棄物収集車両
４〜７    廃棄物収集場所
８        廃棄物処理場
２０      計量手段
２１      メモリ
２３      無線送信機
２４      無線受信機
２５      アンテナ
２６      ロードセル
２７      指示計
４１，５１      無線基地局
４２，５２      管理用パソコン
４３，５３      無線送信機
４４，５４      無線受信機
４５，５５      アンテナ
【図１】
2009211346.tif 000003
【図２】
2009211346.tif 000004
【図３】
2009211346.tif 000005
【図４】
2009211346.tif 000006
【図５】
2009211346.tif 000007
【図６】
2009211346.tif 000008
【図７】
2009211346.tif 000009
【図８】
2009211346.tif 000010
【図９】
2009211346.tif 000011